(57)【要約】【課題】  帳票カラーイメージからダイナミックにドロップアウトカラーを識別できる処理をコンピュータに実行させるプログラム，方法，装置を提供する。【解決手段】  ドロップアウト処理装置200は，帳票2のイメージを取得し(101)，イメージをＲＧＢの各一系の色成分を除去した各Ｒ／Ｇ／Ｂプレーンに分割し(103)，各プレーンのしきい値を算出して２値化する(201〜206)。帳票2のイメージからＹ信号イメージを生成し２値化する(109，110)。２値化された各プレーンとＹ信号イメージとを合成し(207〜209)，各合成イメージの黒画素頻度を算出し，頻度傾向が異なる合成イメージをドロップアウト(DO)プレーンとし(210)，DOプレーンと２値化Ｙ信号イメージとを合成し(211)，カスレ補正後(212)，合成された画像イメージ3を出力する。【選択図】  図１４
2007115288.tif 000002
【特許請求の範囲】
【請求項１】
帳票のドロップアウト処理で用いるドロップアウトカラーを識別する処理をコンピュータに実行させるプログラムであって，
帳票イメージデータから，ＲＧＢ系の各一系の色成分を除去したプレーンイメージであって，Ｒ系色成分を除去したＲプレーン，Ｇ系色成分を除去したＧプレーン，Ｂ系色成分を除去したＢプレーンを生成するプレーン取得処理と，
前記帳票イメージデータから輝度信号イメージを生成し，前記輝度信号イメージを２値化して輝度信号２値化イメージを生成する輝度信号２値化処理と，
前記Ｒプレーン，Ｇプレーン，Ｂプレーンの各プレーンごとに濃度特性を求め，前記各プレーンの濃度特性から所定の式にもとづいて判別しきい値を算出するしきい値算出処理と，
前記判定しきい値をもとに前記Ｒプレーン，Ｇプレーン，Ｂプレーンの各プレーンをそれぞれ２値化し，前記各プレーンの２値化イメージを生成するプレーン２値化処理と，
前記輝度信号２値化イメージと前記各プレーンの２値化イメージそれぞれとについて，対応する画素を合成処理し，前記各プレーンの２値合成イメージを生成する合成処理と，
前記各プレーンの２値合成イメージそれぞれにおいて，画素頻度を算出し，前記画素頻度をもとに，前記プレーンの中から異なる画素頻度の傾向を示す２値合成イメージを選択し，前記選択された２値合成イメージに対応するプレーンで除去された色系をドロップアウトカラーとして特定するドロップアウトプレーン選択処理とを，
コンピュータに実行させる
ことを特徴とするドロップアウトカラー識別処理プログラム。
【請求項２】
請求項１記載のドロップアウトカラー識別処理プログラムにおいて，
前記合成処理では，前記輝度信号２値化イメージと前記各プレーンの２値化イメージそれぞれにおいて，画素ごとにＡＮＤ演算を行い，前記各プレーンの２値合成イメージを生成する処理を，
前記ドロップアウトプレーン選択処理では，前記各プレーンの２値合成イメージの黒画素頻度を算出し，前記黒画素頻度が最小である２値合成イメージのもととなったプレーンで除去された色系をドロップアウトカラーとして特定する処理を，
コンピュータに実行させる
ことを特徴とするドロップアウトカラー識別処理プログラム。
【請求項３】
請求項１記載のドロップアウトカラー識別処理プログラムにおいて，
前記合成処理では，前記輝度信号２値化イメージと前記各プレーンの２値化イメージそれぞれにおいて，画素ごとにＸＯＲ演算を行い，前記各プレーンの２値合成イメージを生成する処理を，
前記ドロップアウトプレーン選択処理では，前記各プレーンの２値合成イメージの黒画素の相違度を算出し，前記相違度が最大である２値合成イメージのもととなるプレーンで除去された色系をドロップアウトカラーとして特定する処理とを，
コンピュータに実行させる
ことを特徴とするドロップアウトカラー識別処理プログラム。
【請求項４】
コンピュータが，帳票のドロップアウト処理で用いるドロップアウトカラーを識別するドロップアウトカラー識別処理方法であって，
帳票イメージデータから，ＲＧＢ系の各一系の色成分を除去したプレーンイメージであって，Ｒ系色成分を除去したＲプレーン，Ｇ系色成分を除去したＧプレーン，Ｂ系色成分を除去したＢプレーンを生成するプレーン取得処理過程と，
前記帳票イメージデータから輝度信号イメージを生成し，前記輝度信号イメージを２値化して輝度信号２値化イメージを生成する輝度信号２値化処理過程と，
前記Ｒプレーン，Ｇプレーン，Ｂプレーンの各プレーンごとに濃度特性を求め，前記各プレーンの濃度特性から所定の式にもとづいて判別しきい値を算出するしきい値算出処理過程と，
前記判定しきい値をもとに前記Ｒプレーン，Ｇプレーン，Ｂプレーンの各プレーンをそれぞれ２値化し，前記各プレーンの２値化イメージを生成するプレーン２値化処理過程と，
前記輝度信号２値化イメージと前記各プレーンの２値化イメージそれぞれとについて，対応する画素を合成処理し，前記各プレーンの２値合成イメージを生成する合成処理過程と，
前記各プレーンの２値合成イメージそれぞれにおいて，画素頻度を算出し，前記画素頻度をもとに，前記プレーンの中から異なる画素頻度の傾向を示す２値合成イメージを選択し，前記選択された２値合成イメージに対応するプレーンで除去された色系をドロップアウトカラーとして特定するドロップアウトプレーン選択処理過程とを備える
ことを特徴とするドロップアウトカラー識別処理方法。
【請求項５】
帳票のドロップアウト処理で用いるドロップアウトカラーを識別する処理を実行するドロップアウトカラー識別処理装置であって，
帳票イメージデータから，ＲＧＢ系の各一系の色成分を除去したプレーンイメージであって，Ｒ系色成分を除去したＲプレーン，Ｇ系色成分を除去したＧプレーン，Ｂ系色成分を除去したＢプレーンを生成するプレーン取得処理手段と，
前記帳票イメージデータから輝度信号イメージを生成し，前記輝度信号イメージを２値化して輝度信号２値化イメージを生成する輝度信号２値化処理手段と，
前記Ｒプレーン，Ｇプレーン，Ｂプレーンの各プレーンごとに濃度特性を求め，前記各プレーンの濃度特性から所定の式にもとづいて判別しきい値を算出するしきい値算出処理手段と，
前記判定しきい値をもとに前記Ｒプレーン，Ｇプレーン，Ｂプレーンの各プレーンをそれぞれ２値化し，前記各プレーンの２値化イメージを生成するプレーン２値化処理手段と，
前記輝度信号２値化イメージと前記各プレーンの２値化イメージそれぞれとについて，対応する画素を合成処理し，前記各プレーンの２値合成イメージを生成する合成処理手段と，
前記各プレーンの２値合成イメージそれぞれにおいて，画素頻度を算出し，前記画素頻度をもとに，前記プレーンの中から異なる画素頻度の傾向を示す２値合成イメージを選択し，前記選択された２値合成イメージに対応するプレーンで除去された色系をドロップアウトカラーとして特定するドロップアウトプレーン選択処理手段とを備える
ことを特徴とするドロップアウトカラー識別処理装置。
【発明の詳細な説明】
【技術分野】
【０００１】
本発明は，ドロップアウトカラー識別処理プログラム，方法，および装置に関する。本発明は，特に，ＯＣＲ用ドロップアウト処理において，帳票別にドロップアウトカラーが相違するような業務での利用が可能である。
【背景技術】
【０００２】
帳票データの読み取り処理において，帳票上に予め印刷もしくは印字されている罫線や文字の色のうち特定の色（ドロップアウトカラー）の部分をイメージスキャナ等で読み取った時に画像として現れないようにするドロップアウト処理を行う。
【０００３】
従来のドロップアウト処理では，ドロップアウトカラー読み取り専用イメージリーダを使用し，そのイメージリーダの光源特性に合わせて帳票のドロップアウトカラー１色を選定しなければならなかった。
【０００４】
したがって，例えば，赤色系ドロップアウトカラーの入金票と青色系ドロップアウトカラーの出金票などドロップアウトカラーが相違する複数の帳票をまとめてドロップアウト処理する場合には，予め赤系と青系の２つの光源を備えたイメージリーダを用い，処理対象の帳票のドロップアウトカラーに合わせて読み取り光源を切り替えて処理をしていた。
【発明の開示】
【発明が解決しようとする課題】
【０００５】
従来のドロップアウト処理では帳票を読み取る際に，あらかじめドロップアウトカラーが判別されている必要があったため，帳票別にドロップアウトカラーが相違する，または，別色のドロップアウトカラーが混在する伝票を共に処理するのは不可能であった。
【０００６】
本発明は，処理対象の帳票のドロップアウトカラーを自動的に識別して，識別したドロップアウトカラーをもとにドロップアウト処理を行うことができることを目的とする。
【０００７】
また，本発明は，複数のドロップアウトカラーが使用されている帳票のそれぞれのドロップアウトカラーを領域を指定することなく自動的に識別してドロップアウト処理を行うことができることを目的とする。
【０００８】
本発明によれば，ドロップアウトカラーに依存しない処理を行うことができ，また，あらかじめドロップアウトカラーを識別しておく必要がなくまたドロップアウトカラーが混在した帳票においても処理が可能である。
【課題を解決するための手段】
【０００９】
上記の目的を達成するため，本発明にかかるプログラムは，帳票イメージデータからＲＧＢ系の各系のプレーンイメージを分離生成してＲプレーン，Ｇプレーン，Ｂプレーンを取得するプレーン取得処理と，前記帳票イメージから輝度信号イメージを生成し，さらに２値化して輝度信号２値化イメージを生成する輝度信号２値化処理と，前記プレーン取得処理で取得した前記各それぞれのダイナミックな判定しきい値を求め，前記判定しきい値をもとに，前記各プレーンをそれぞれ２値化して各プレーン２値化イメージを生成するプレーン２値化処理と，前記輝度信号２値化イメージと，前記各プレーン２値化イメージのそれぞれとについて，画素ごとに合成処理して各プレーンの２値合成イメージを生成する合成処理と，前記各プレーン２値合成イメージそれぞれの画素頻度を算出し，前記画素頻度を用いて前記各プレーン２値合成イメージのもととなる前記プレーンからドロップアウトプレーンを選択するドロップアウトプレーン選択処理とを，コンピュータに実行させるものである。
【００１０】
本発明は，コンピュータを以下のように動作させる。本発明が実行されるコンピュータは，帳票イメージデータから，ＲＧＢ系の各一系の色成分を除去したプレーンイメージであって，Ｒ系色成分を除去したＲプレーン，Ｇ系色成分を除去したＧプレーン，Ｂ系色成分を除去したＢプレーンを生成する。そして，前記Ｒプレーン，Ｇプレーン，Ｂプレーンの各プレーンごとに濃度特性を求め，各プレーンの濃度特性から所定の式にもとづいて判別しきい値を算出し，このしきい値をもとに，Ｒプレーン，Ｇプレーン，Ｂプレーンの各プレーンをそれぞれ２値化し，各プレーンの２値化イメージを生成する。また，帳票イメージデータから輝度信号イメージを生成し，前記輝度信号イメージを２値化し，輝度信号２値化イメージを生成する。
【００１１】
さらに，前記輝度信号２値化イメージと前記各プレーンの２値化イメージそれぞれとについて，対応する画素を合成処理し，前記各Ｒ／Ｇ／Ｂプレーンの２値合成イメージを生成する。そして，各プレーンの２値合成イメージそれぞれにおいて，画素頻度（黒画素頻度）を算出する。算出された画素頻度をもとに，前記Ｒ／Ｇ／Ｂプレーン２値合成イメージの中から異なる画素頻度の傾向を示す２値合成イメージを１つ選択し，選択された２値合成イメージに対応するプレーンで除去された色系をドロップアウトカラーとして特定する。
【００１２】
これによって，帳票のドロップアウトされるべき部分にカラー印刷の濃淡が有る場合でも，ドロップアウト処理の性能低下を生ずることなく，精度よくドロップアウト処理を行うことが可能となる。
【００１３】
なお，本発明に関連する発明として，帳票イメージデータからＲＧＢ系の各系のプレーンイメージを分離生成してＲプレーン，Ｇプレーン，Ｂプレーンを取得するプレーン取得処理と，前記Ｒプレーン，Ｇプレーン，Ｂプレーンの各プレーンごとに濃度特性を求め，前記濃度特性から前記各プレーンごとの判別しきい値を自動的に算出するしきい値算出処理と，前記判定しきい値を用いて前記各プレーンからドロップアウトプレーンを選択するドロップアウトプレーン選択処理とを，コンピュータに実行させるプログラムがある。
【００１４】
さらに，本発明に関連する発明として，帳票イメージデータからＲＧＢ系の各系のプレーンイメージを分離生成してＲプレーン，Ｇプレーン，Ｂプレーンを取得するプレーン取得処理手段と，前記帳票イメージから輝度信号イメージを生成し，さらに２値化して輝度信号２値化イメージを生成する輝度信号２値化処理手段と，前記プレーン取得処理で取得した前記各それぞれのダイナミックな判定しきい値を求め，前記判定しきい値をもとに，前記各プレーンをそれぞれ２値化して各プレーン２値化イメージを生成するプレーン２値化処理手段と，前記輝度信号２値化イメージと，前記各プレーン２値化イメージの一のプレーン２値イメージとを，画素ごとに合成処理して第一の２値合成イメージを生成する第一の合成処理手段と，前記第一の２値合成イメージと，前記各プレーン２値化イメージのうち前記第一の合成処理手段で処理されない一のプレーン２値イメージとを，画素ごとに合成処理して第二の２値合成イメージを生成する第二の合成処理手段とを備える処理装置がある。
【００１５】
本発明は，ドロップアウト処理対象の帳票のイメージデータをＲＧＢ系のそれぞれのプレーンイメージおよび輝度信号イメージ（以下Ｙ信号イメージという）に分離した後に，以下のいずれかの方法でドロップアウトカラーを識別することができる。
【００１６】
ａ）各プレーンのヒストグラムによりドロップアウトプレーンを識別し，そのドロップアウトプレーンのカラーをドロップアウトカラーとする。
【００１７】
ｂ）Ｙ信号と各プレーンとの合成画像から算出した黒画素頻度によりドロップアウトプレーンを識別し，そのドロップアウトプレーンのカラーをドロップアウトカラーとする。
【００１８】
ｃ）Ｙ信号と各プレーンとをＸＯＲ演算してドロップアウトプレーンを識別し，そのドロップアウトプレーンのカラーをドロップアウトカラーとする。
【００１９】
そして，帳票ごとに識別したドロップアウトカラーを用いた処理，すなわちドロップアウトプレーンを用いた合成処理により精度の高いドロップアウト処理を行うことができる。
【００２０】
また，これらのａ）〜ｃ）の処理を繰り返しもしくは組み合わせることにより，複数のドロップアウトカラーが混在する帳票のイメージデータに対しても光源の交換を行わずに精度の高いドロップアウト処理を行うことができる。
【００２１】
なお，本発明の各手段または機能または要素をコンピュータにより実現するプログラムは，コンピュータが読み取り可能な，可搬媒体メモリ，半導体メモリ，ハードディスクなどの適当な記録媒体に格納することができ，これらの記録媒体に記録して提供され，または，通信インタフェースを介して種々の通信網を利用した送受信により提供される。
【発明の効果】
【００２２】
本発明では，取得した帳票のイメージから分離生成したＲＧＢ系の各一系の色成分を除去したプレーンを生成し，所定のしきい値によって２値化した２値化プレーンの画素頻度の傾向から，異なる画素頻度傾向を持つものをドロップアウトカラーとして特定し，帳票のイメージから生成した輝度信号２値化イメージと合成することによってドロップアウト処理を行う。
【００２３】
これにより，従来のように予め定められたドロップアウトカラー用の専用光源を備える必要がなく，またドロップアウトカラーの印刷の濃淡によるドロップアウト処理の性能低下を生ずることなく，精度よくドロップアウト処理を行うことが可能となる。
【００２４】
また，本発明では，帳票のイメージから分離生成したＲＧＢ系の各プレーンの２値イメージと輝度信号の２値イメージを合成するドロップアウト処理を各系のプレーンで組み合わせて行うことができる。これにより，複数のドロップアウトカラーが使用されている帳票に対しても，ドロップアウトカラー別の領域を判定することなくドロップアウト処理ができる。
【００２５】
特に，異なるマルチドロップアウトカラーの帳票上の領域位置等を処理前に記憶することなく，かつ，一時にドロップアウト処理を行えるため，種々のマルチドロップアウトカラーの帳票が混在するような場合でも，精度よくかつ簡易にドロップアウト処理を行うことが可能となる。
【発明を実施するための最良の形態】
【００２６】
以下に，本発明の実施の形態を，その関連発明とともに説明する。
〔第１の実施の形態〕
図１に，第１の実施の形態における本発明にかかる装置の構成例を示す。
【００２７】
ドロップアウト処理装置１００は，イメージ取得部１０１と，影補正処理部１０２と，ＲＧＢプレーン分割部１０３と，画像記憶部１０４と，ヒストグラム演算部１０５と，判定しきい値算出部１０６と，ドロップアウトプレーン選択部１０７と，ドロップアウトプレーン２値化処理部１０８と，輝度信号生成部１０９と，輝度信号２値化処理部１１０と，２値化画像合成処理部１１１と，カスレ補正処理部１１２とを備える。
【００２８】
イメージ取得部１０１は，帳票２のカラーイメージデータ（帳票イメージ）を取得する手段である。ここで，イメージ取得部１０１は２次元カラーＣＣＤであるが，カラーイメージデータを取得できる手段であれば，これに限られない。
【００２９】
影補正処理部１０２は，イメージ取得部１０１で取り込んだ帳票イメージで生じた影などの不要な部分をシェーディングなどの既知の技術により補正する手段である。
【００３０】
ＲＧＢプレーン分割部１０３は，帳票イメージから，ＲＧＢ系の各プレーンイメージ（Ｒプレーン，Ｇプレーン，Ｂプレーン）を分離生成する手段である。Ｒプレーンとは，Ｒ（赤）系色を除去したイメージデータであり，Ｇプレーンとは，Ｇ（緑）系色を除去したイメージデータであり，Ｂプレーンとは，Ｂ（青）系色を除去したイメージデータである。なおＲＧＢプレーン分割部１０３は，必要であれば，Ｒ／Ｇ／Ｂの各プレーンの解像度を揃える補正処理を行う。
【００３１】
画像記憶部１０４は，ＲＧＢプレーン分割部１０３で分離生成された各プレーンを記憶する領域である。
【００３２】
ヒストグラム演算部１０５は，ＲＧＢプレーン分割部１０３で生成されたプレーンごとに濃度値ヒストグラムを生成し，そのヒストグラムを数値化する手段である。
【００３３】
判定しきい値算出部１０６は，ヒストグラム演算部１０５で演算されたヒストグラムの数値をもとに，Ｒ／Ｇ／Ｂプレーンごとのしきい値を算出する手段である。判定しきい値算出部１０６は，後述する自動判別しきい値法を用いる。［参考文献：大津展之，判別および最小２乗基準に基づく自動しきい値選定法，電子情報通信学会論文誌，J63-D,vol.4,pp.349-356(1986)］
【００３４】
ドロップアウトプレーン選択部１０７は，判定しきい値算出部１０６の処理結果をもとに，Ｒ／Ｇ／Ｂの３つのプレーンからドロップアウトプレーンを選択する手段である。例えば，ドロップアウトカラーと同色系のプレーンでは，ドロップアウトカラーの枠線などの部分の濃度値は背景色の濃度値と近くなり，ドロップアウトカラーと同色系ではない他の２つのプレーンに比べて判定しきい値算出部１０６で算出されたしきい値が著しく異なる値となるので，異なるしきい値を示すプレーンをドロップアウトプレーンとする。
【００３５】
ドロップアウトプレーン２値化処理部１０８は，ドロップアウトプレーン選択部１０７からの判定結果を受け取り，ドロップアウトプレーンを２値化する手段である。ドロップアウトプレーンではドロップアウトカラーが除去されているため，２値化処理により，黒色の手書き文字やガイド文字などのドロップアウトカラー以外の部分が情報とされる。
【００３６】
輝度信号生成部１０９は，Ｒ，Ｇ，Ｂの各プレーンからＹ信号イメージを生成する手段である。なお，Ｙ信号イメージは，イメージ取得部１０１で取得した帳票２のイメージから直接生成してもよい。
【００３７】
輝度信号２値化処理部１１０は，Ｙ信号イメージを２値化する手段である。輝度信号２値化処理部１１０は，情報の欠落を抑えるために，局所領域に対してしきい値を設定していく局所２値化処理法を行う。輝度信号２値化処理部１１０は，背景部以外をすべて情報として２値化する。
【００３８】
２値化画像合成処理部１１１は，ドロップアウトプレーン２値化処理部１０８が出力したドロップアウトプレーン２値化イメージと，輝度信号２値化処理部１１０が出力したＹ信号２値化イメージとを，ＡＮＤ演算により合成する手段である。合成処理により，ドロップアウトカラーの部分を除去した画像イメージを出力することができる。
【００３９】
カスレ補正処理部１１２は，２値化画像合成処理部１１１が出力した２値合成イメージに対し手書き文字などの情報部分のカスレ補正や白抜け補完などを行う手段である。
【００４０】
以下に，本形態における発明の処理を詳細に説明する。
【００４１】
図２に，イメージ取得部１０１で取り込んだ帳票２のイメージの一部を示す。ドロップアウト処理装置１００が読み込む帳票２は，白地の背景に赤色のドロップアウトカラーで枠線が印刷され手書きの文字が書かれたものである。
【００４２】
イメージ取得部１０１（カラーＣＣＤ）は，帳票２を撮像し取得した帳票２のイメージを影補正処理部１０２へ渡す。影補正処理部１０２は，既知のシェーディング技術などにより帳票２のイメージを影補正する。そして，ＲＧＢプレーン分割部１０３は，補正済の帳票２のイメージから，Ｒプレーン，Ｇプレーン，Ｂプレーンを分離生成し，これらを画像記憶部１０４へ格納する。
【００４３】
ヒストグラム演算部１０５は，Ｒプレーン，Ｇプレーン，Ｂプレーンそれぞれのヒストグラムを生成し，生成したヒストグラムを演算して数値をテーブル（図示しない）に記憶する。
【００４４】
図３に，各プレーンのヒストグラムの例を示す。図３（Ａ）はＲプレーンのヒストグラム例，図３（Ｂ）はＧプレーンのヒストグラム例，図３（Ｃ）はＢプレーンのヒストグラム例である。本形態では，帳票２が赤系ドロップアウトカラー帳票であるので，Ｒプレーンではドロップが生じているため，図３（Ａ）に示すＲプレーンのヒストグラムにおいてドロップアウトカラーの部分は背景部分と同一な濃度値となる。一方，図３（Ｂ）および（Ｃ）に示すように，ＢプレーンもしくはＧプレーンのヒストグラムでは，赤系のドロップアウトカラーが浮き出る形となるので，背景部の波形に谷間ができる。
【００４５】
本形態の帳票２のようにドロップアウトカラーが単一色（赤系のみ）である場合に，ドロップアウトカラーのプレーンとドロップアウトカラーではないプレーンとの間で，背景の白領域に対する波形が相違する。
【００４６】
そこで，判定しきい値算出部１０６は，各プレーンについて，ヒストグラムの波形が相違する部分を識別判定するために自動判別しきい値法を利用して，ドロップアウトプレーンを判別する。
【００４７】
自動判別しきい値法とは，濃淡画像を対象領域と背景に分離する２値化のため適切なしきい値を選ぶ方法である。自動判別しきい値法では，以下のようにしきい値を求める。
【００４８】
まず，プレーンごとの全体画素数Ｎ＝Ｎ０＋Ｎ１＋Ｎ２＋Ｎ３…Ｎ２５５とし，正規化ヒストグラムを求める。すなわち各濃度レベルｎｉに対して，下記の式で
ｐｉ＝ｎｉ／Ｎ  （ｎｉ：各濃度の分布，Ｎ：全体の画素数）
正規化ヒストグラムｐｉを求める。そして，正規化ヒストグラムｐｉから，下記の式で平均輝度レベルμｔを求める。
【００４９】
μｔ＝Σｉ  ｐｉ  （ｉ：０から２５５まで）
（ｉ：濃度分布，ｐｉ：正規化ヒストグラム）
次に，ｐｉ，μｔから，以下の式で正規化ヒストグラムの累計量ｋまでを求める。
【００５０】
ω（ｋ）＝Σｐｉ（ｉ：０からｋまで）
ｍ（ｋ）＝Σｉ  ｐｉ（ｉ：０からｋまで）
次に，正規化ヒストグラムの累計ω（ｋ），ｍ（ｋ）から，以下の式でクラス間分散を求める。
【００５１】
σｂ＝ω（Ｉ）（１．０−ω（Ｉ））
σ（Ｉ）＝（（μｔω（Ｉ）2 −ｍ（Ｉ）））／σｂ（Ｉ）
そして，σ（Ｉ）の値が０〜２５５濃度分布のなかで一番大きいものを判別しきい値として取り出す。
【００５２】
自動判別しきい値法により算出すると，Ｒプレーンのしきい値Ｒｓ＝１８７，Ｇプレーンのしきい値Ｇｓ＝１５２およびＢプレーンのしきい値Ｂｓ＝１５２となり，ドロップアウトしているＲプレーンのしきい値Ｒｓが最高で，ＢプレーンおよびＧプレーンとのしきい値Ｂｓ，Ｇｓよりも大きくなる。
【００５３】
このように，ある程度の高い階調レベルで谷間ができていればドロップアウトカラーと推定できるので，１つのプレーンのヒストグラムに谷間が存在せず，かつ他のプレーンのヒストグラムには谷間があるような場合には，谷間のない高いしきい値のプレーンをドロップアウトプレーンと識別できる。
【００５４】
そこで，ドロップアウトプレーン選択部１０７は，他の２つのプレーンより高いしきい値のＲプレーンをドロップアウトプレーンとして選択し，判定結果をドロップアウトプレーン２値化処理部１０８へ通知する。
【００５５】
ドロップアウトプレーン２値化処理部１０８では，判定しきい値算出部１０６で算出されたしきい値をもとにドロップアウトプレーン（Ｒプレーン）を２値化してドロップアウトプレーン（Ｒプレーン）２値イメージを生成する。図４に，ドロップアウトプレーン２値イメージの例を示す。
【００５６】
輝度信号生成部１０９は，Ｒ／Ｇ／Ｂの各プレーンからＹ信号イメージを生成する。そして，輝度信号２値化処理部１１０は，Ｙ信号イメージを局所２値化法により２値化する。
【００５７】
局所２値化処理法として，Ｎｉｂｌａｃｋ法２値化処理を行う。Ｎｉｂｌａｃｋ法とは，求めたい画素に対して周辺の情報（３×３，７×７など）を設定して１画素ずつしきい値を求めていく２値化方法である。
【００５８】
まず，背景分離処理として，矩形フィルタ（フィルタの大きさは任意）を設定し，フィルタ内の濃度分散値から背景部か情報部を判別する。そして，背景分離しきい値（σmin ）を設定し，フィルタ内の計算結果がσmin 以上であれば情報があると判定する。背景分離しきい値σmin ＝１００とすると，
計算式  σmin ＜ｇ２＝Ｅ２−（Ｅ×Ｅ）
（Ｅ：フィルタ内濃度平均，Ｅ２：フィルタ内濃度２乗平均）
であれば，背景ではないと判断する。そして，しきい値の算出処理として，分散値が分散しきい値（σmin ）以上であれば注目画素ｋとなる濃度のしきい値を求め白画素か黒画素かを判定する。［参考文献：W.Niblack, "An Introduction to Digital Image Processing",pp.115-116, Englewood Cliffs, N.J.:Prentice Hall(1986)］
本形態では，例えばＯＣＲ向け手書き文字認識画像等のイメージを生成するため，輝度信号２値化処理部１１０として７×７のフィルタを用いる。手書き文字のストローク幅は３ドット程度であるので７×７のフィルタが望ましいからである。
【００５９】
図５に，７×７フィルタによる局所２値化処理例を示す。まず，しきい値を求めたい注目画素ｋに対して上下左右３画素ずつ矩形領域を設定する。７×７フィルタでは，注目画素ｋが背景（フィルタ内も背景のみ）であれば，以下の背景分離しきい値σmin で落としてしまう。
【００６０】
背景分離しきい値σmin ＝１００（本形態例）
σmin ＜ｇ２＝  Ｅ２−（Ｅ×Ｅ）
Ｅ：フィルタ内濃度平均，Ｅ２：フィルタ内濃度２乗
また，濃度絶対値を見ていないので７×７フィルタ内に情報部（文字ストロークなど）がすべて被ってしまった場合にも背景と見なされてしまうが，濃度値の判定で文字ストローク部分内は黒補完を行うことができる。
【００６１】
７×７フィルタ内に情報部（文字ストローク）と背景とが入っている場合には，σmin しきい値より大となる。そして，求まった√ｇ２に対して係数（−０．１）を乗算する。求まったしきい値に対してアンダーぎみにすることにより，文字周辺のノイズを抑えるような効果が得られる。そして，以下の注目画素ｋのしきい値Ｓを求めることになる。
【００６２】
注目画素ｋのしきい値Ｓ＝Ｅ＋（−０．１）×√ｇ２
注目画素ｋが，求まったしきい値以下の濃度であれば黒画素となり，以上であれば白画素となる。
【００６３】
輝度信号２値化処理部１１０は，局所２値化処理を行う範囲である輝度信号の中間濃度レベルを推定するために，ドロップアウトプレーン２値化処理部１０８で使用する自動判別しきい値法を適用する。図６（Ａ）に示すように，輝度信号全体イメージについて自動判別しきい値法でダイナミックな２階調分離しきい値を求め，そのしきい値を中心として低い濃度（黒となる濃度）方向と高い濃度（白となる濃度）方向に対して，以下の式により比率を設定し，中間濃度レベル部分推定エリアを算出する。
【００６４】
中間濃度レベル範囲の係数ａ＝０．１０〜０．９０，
中間濃度レベル範囲の係数ｂ＝０．１０〜０．９０，
黒領域の濃度平均ｂ＿ａｖｅ
＝濃度分布０〜濃度分布ｏｔの濃度平均
白領域の濃度平均ｗ＿ａｖｅ
＝濃度分布ｏｔ＋１〜濃度分布２５５の濃度平均
中間濃度レベルの下限ｂｔ
＝（（１．０−ａ）×ｏｔ）＋（ａ×ｂ＿ａｖｅ）
中間濃度レベルの上限ｗｔ
＝（（１．０−ｂ）×ｏｔ）＋（ｂ×ｗ＿ａｖｅ）
前記の推定エリア（ｂｔ〜ｗｔ）のみ局所２値化法による２値化を行い，それ以外のｂ＿ａｖｅエリアは黒，ｗ＿ａｖｅエリアは白とする。これにより大幅な高速処理が可能である。係数ａ，ｂの比率は局所２値化の部分が多くなるが，比率を大きくし過ぎると，手書き文字を２値化する場合には無駄な処理となってしまう。
【００６５】
本形態では，係数ａ＝０．３５，係数ｂ＝０．６２とすることで，すなわち全体の５〜８％の範囲を局所２値化処理することにより，１００の範囲で局所２値化を行った場合と同等レベルの結果を得ることができた。なお，帳票中の文字記入数により最適となる比率は変動するので，係数は適宜設定する。
【００６６】
図６（Ｂ）に，局所２値化処理方法によるＹ信号２値イメージの例を示す。Ｙ信号２値イメージは，背景以外のすべてが情報部（黒画素）とされる。
【００６７】
その後，２値化画像合成処理部１１１は，ドロップアウトプレーン（Ｒプレーン）２値イメージとＹ信号２値イメージとをＡＮＤ演算により合成処理し，新たなＹＲ２値イメージを生成する。
【００６８】
図７にＹＲ２値イメージの例を示す。Ｙ信号２値イメージの赤系ドロップアウトカラー情報は２値化されて情報となっているが，ドロップアウトプレーン（Ｒプレーン）２値イメージでは赤系ドロップアウトカラーは除去されて情報となっていないので，ＡＮＤ演算で合成されるイメージにおいても赤系の特性のドロップアウトカラーは除去される。
【００６９】
その後，カスレ補正処理部１１２は，前記の２値化画像合成処理部１１１の処理の際に手書き文字やガイドなどの情報部にカスレが生じてしまうことがあるため，これらのカスレなどに対して補正処理を行う。
【００７０】
２値化画像合成処理部１１１でのＡＮＤ演算では，ドロップアウトプレーン２値イメージとＹ信号２値イメージとのどちらのイメージにおいても２値化された情報として出ていなければ，合成イメージ上で情報として出力されない。そのため一方において情報部として出力されていない部分がカスレを生じさせる。カスレの要因として，情報とする階調レベルが高い（背景部分の階調と近い）ことが考えられる。
【００７１】
カスレ補正処理部１１２は，以下のいずれかの補正処理を行う。
【００７２】
（Ａ）Ｙ信号イメージの第１のカスレ補正処理
カスレ部分の階調が背景レベルの階調と近い場合においては，輝度信号２値化処理部１１０の局所２値化法において背景として処理されてしまうことがある。局所的２値化法では，前処理として背景分離処理を行ない，情報が存在している箇所のみ２値化しきい値を求める。輝度信号２値化処理部１１０は，この背景分離処理において，帳票２のイメージに局所的にフィルタをして背景レベルの階調分散を求め，あるしきい値以上（濃度変動）がないと背景部分（白）と判断してしまう。
【００７３】
そこで，カスレ補正処理部１１２は，輝度信号２値化処理部１１０の背景分離しきい値を低くする補正を行うことにより，カスレを改善する。
【００７４】
図８に，カスレ補正処理部１１２による補正処理の有無による結果例を示す。図８（Ａ）は，輝度信号２値化処理部１１０で算出した背景分離しきい値による２値化イメージ部分の例である。図８（Ｂ）は，カスレ補正処理部１１２によって低めに設定した背景分離のしきい値を用いて輝度信号２値化処理部１１０で２値化した２値化イメージ部分の例である。図８（Ｂ）のイメージでは，図８（Ａ）に比べてカスレが改善しているのがわかる。
【００７５】
（Ｂ）Ｙ信号イメージの第２のカスレ補正処理
輝度信号２値化処理部１１０では，局所的２値化法の処理を，ある程度の範囲に限定して行っている。図９に示すように，Ｙ信号イメージのヒストグラムから所定の階調範囲（ｂｔ〜ｗｔ）を求めて，この範囲内のみで処理を行い処理の効率化を図っている。したがって，手書き文字などの情報部が，この階調範囲から外れている場合にもやはりカスレが生じてしまう。すなわち，図９の範囲ｂｔより上の階調に対して情報部が存在している場合には，処理のロジック上無条件にその情報を白と判定してしまう。
【００７６】
そこで，カスレ補正処理部１１２は，輝度信号２値化処理部１１０が局所２値化の対象とする階調範囲（ｂｔ〜ｗｔ）を広げるように係数ａ，ｂの値を補正することによりカスレを改善する。
【００７７】
図１０に，カスレ補正処理部１１２による補正処理の有無による結果例を示す。図１０（Ａ）は，輝度信号２値化処理部１１０で算出した階調範囲で処理した２値化イメージ部分の例である。図１０（Ｂ）は，カスレ補正処理部１１２によって拡張した階調範囲で処理した２値化イメージ部分の例である。図１０（Ｂ）のイメージでは，図１０（Ａ）に比べてカスレが改善しているのかがわかる。
【００７８】
（Ｃ）ドロップアウトプレーンイメージのカスレ補正処理
以上のようなカスレ補正処理によりＹ信号２値イメージでカスレのない画像を生成しても，合成させるもう一方のイメージ，ドロップアウトプレーン２値イメージで情報が出ていなければ，カスレが生じることになる。よって，ドロップアウトプレーン２値イメージについても情報が出るような設定とするカスレ補正をおこなわなければならない。
【００７９】
ドロップアウトカラー２値イメージはドロップアウトカラー以外の情報が出ているだけでよいので，ドロップアウトプレーン２値化処理部１０８は背景ノイズがでない程度に２値化ができればよい。また，判定しきい値算出部１０６は，自動判別しきい値法を使用するために，やや薄くなるしきい値が求まる傾向にある。
【００８０】
そこで，ドロップアウトプレーンにある程度の濃さを求めるために，すなわち２値化画像合成処理部１１１がＹ信号２値イメージより太目にドロップアウトプレーンを２値化するために，カスレ補正処理部１１２は，判定しきい値算出部１０６で実際算出したしきい値に対するオフセットにより，しきい値を補正する。
【００８１】
カスレ補正処理部１１２は，判定しきい値算出部１０６で算出したしきい値に対して，任意の値（好ましくは３０〜４０％）で比率を大きくする。本形態では，判定しきい値算出部１０６が算出したしきい値より，１．３５倍することにより最適値になることが評価結果から得られている。カスレ補正処理部１１２は，図１１に示すように，判定しきい値算出部１０６で算出したしきい値１２７より，１．３５倍でしきい値１７１にする。図１２にカスレ補正処理の有無による出力イメージ例を示す。図１２（Ａ）は，判定しきい値の補正を行わない場合の画像イメージ例であり，図１２（Ｂ）は，判定しきい値を１．３５倍にする補正を行った画像イメージ例である。
【００８２】
前記Ａ）〜Ｃ）のカスレ補正処理を単独でもしくは組みあわせて施すことにより，２値化画像合成処理部１１１で合成処理を行う際に発生するカスレを回避することができる。そして，カスレ補正処理部１１２は，図１２（Ｂ）に示すような画像イメージ３を出力する。
【００８３】
図１３に，第１の実施の形態におけるドロップアウトプレーンの選択処理の処理フローを示す。選択処理の前に，ＲＧＢプレーン分割部１０３によりＲ／Ｇ／Ｂの各プレーンが分離生成されているとする。
【００８４】
まず，ヒストグラム演算部１０５は，Ｒ，Ｇ，Ｂのプレーンごとにヒストグラムを取得して数値化し，数値をテーブルに格納する（ステップＳ１）。そして判定しきい値算出部１０６は，数値化したヒストグラムを引数として各プレーンの自動しきい値Ｒｓ，Ｇｓ，Ｂｓをそれぞれ算出する（ステップＳ２）。ドロップアウトプレーン選択部１０７は，以下の処理でドロップアウトプレーンを選択する。すなわち，しきい値ＲｓがＧｓより大きく（ステップＳ３），かつＲｓがＢｓより大きければ（ステップＳ４），Ｒプレーンをドロップアウトプレーンとして選択する（ステップＳ５）。
【００８５】
また，しきい値ＲｓがＧｓより大きくなく（ステップＳ３），かつＧｓがＢｓより大きければ（ステップＳ６），Ｇプレーンをドロップアウトプレーンとして選択する（ステップＳ７）。
【００８６】
また，しきい値ＲｓがＧｓより大きくなく（ステップＳ３），さらにＲｓがＢｓより大きくないか（ステップＳ４），もしくは，ＧｓがＢｓより大きくなければ（ステップＳ６），Ｂプレーンをドロップアウトプレーンとして選択する（ステップＳ８）。
【００８７】
〔第２の実施の形態〕
第２の実施の形態において，ドロップアウト処理装置２００は，Ｙ信号イメージと各プレーンイメージの合成画像から，黒画素頻度を算出してドロップアウトプレーンを識別する。そして，識別したドロップアウトプレーンを用いて手書き文字等の画像イメージ３を出力する。
【００８８】
図１４に，第２の実施の形態における本発明にかかる装置の構成例を示す。
【００８９】
ドロップアウト処理装置２００は，イメージ取得部１０１と，影補正処理部１０２と，ＲＧＢプレーン分割部１０３と，画像記憶部１０４と，輝度信号生成部１０９と，輝度信号２値化処理部１１０と，Ｒ，Ｇ，Ｂプレーンごとのプレーンしきい値算出部２０１，２０２，２０３と，Ｒ，Ｇ，Ｂプレーンごとの２値化処理部２０４，２０５，２０６と，３つのＡＮＤ演算部２０７，２０８，２０９と，黒画素頻度算出部２１０と，２値化画像合成処理部２１１と，カスレ補正処理部２１２とを備える。
【００９０】
ドロップアウト処理装置２００の各処理部のうち，イメージ取得部１０１と，影補正処理部１０２と，ＲＧＢプレーン分割部１０３と，画像記憶部１０４と，輝度信号生成部１０９と，輝度信号２値化処理部１１０とは，図１のドロップアウト処理装置１００を構成する同一番号が付与された各処理部と同一の処理を行う。
【００９１】
Ｒプレーンしきい値算出部２０１は，前記の自動判別しきい値法を用いてＲプレーンイメージのしきい値を算出する手段である。Ｇプレーンしきい値算出部２０２およびＢプレーンしきい値算出部２０３は，Ｒプレーンしきい値算出部２０１と同様に，ＧプレーンおよびＢプレーンのダイナミックなしきい値をそれぞれ算出する手段である。
【００９２】
Ｒプレーン２値化処理部２０４は，Ｒプレーンしきい値算出部２０１が算出したしきい値をもとにＲプレーンを２値化してＲプレーン２値イメージを出力する手段である。Ｇプレーン２値化処理部２０５およびＢプレーン２値化処理部２０６も，Ｒプレーン２値化処理部２０４と同様に，ＧプレーンおよびＢプレーンのプレーンしきい値算出部２０２，２０３が算出したしきい値をもとにＧプレーンおよびＢプレーンをそれぞれ２値化する手段である。
【００９３】
ＡＮＤ演算部２０７は，Ｒプレーン２値イメージとＹ信号２値イメージとをＡＮＤ演算で合成処理する手段である。同様に，ＡＮＤ演算部２０８は，Ｇプレーン２値イメージとＹ信号２値イメージとをＡＮＤ演算で合成処理する手段であり，ＡＮＤ演算部２０９はＢプレーン２値イメージとＹ信号２値イメージとをＡＮＤ演算で合成処理する手段である。
【００９４】
黒画素頻度算出部２１０は，ＡＮＤ演算部２０７，２０８，２０９がそれぞれ合成した合成２値イメージの黒画素頻度を算出し，その黒画素頻度をもとにドロップアウトプレーンを選択する手段である。
【００９５】
２値化画像合成処理部２１１は，選択されたドロップアウトプレーンとＹ信号２値イメージとをＡＮＤ演算により合成処理する手段である。
【００９６】
カスレ補正処理部２１２は，２値化画像合成処理部２１１で合成された２値化合成イメージに対しカスレ補正を行う手段である。
【００９７】
本形態における処理を説明する。イメージ取得部１０１からＲＧＢプレーン分割部１０３までの処理ならびに輝度信号生成部１０９および輝度信号２値化処理部１１０の処理は，第１の実施の形態と同様である。
【００９８】
Ｒ／Ｇ／Ｂプレーンごとのプレーンしきい値算出部２０１，２０２，２０３は，それぞれ，第１の実施の形態における判定しきい値算出部１０６とほぼ同様に，各プレーンのダイナミックなしきい値を自動判別しきい値法を用いて算出する。
【００９９】
その後，Ｒ／Ｇ／Ｂプレーンごとのプレーン２値化処理部２０４，２０５，２０６は，それぞれ，第１の実施の形態におけるドロップアウト２値化処理部１０８とほぼ同様に，各プレーンごとに算出されたしきい値をもとに各プレーンを２値化する。
【０１００】
次に，ＡＮＤ演算部２０７は，Ｒプレーン２値イメージとＹ信号２値イメージとをＡＮＤ演算で合成処理し，新たなＹＲ２値イメージを生成する。ＡＮＤ演算部２０８およびＡＮＤ演算部２０９は，同様に，プレーン２値イメージとＹ信号２値イメージとをＡＮＤ演算で合成処理し，それぞれＹＧ２値イメージ，ＹＢ２値イメージを生成する。
【０１０１】
図１５に，ＡＮＤ演算部２０７，２０８，２０９で合成処理して生成されたイメージの例を示す。合成処理により，Ｙ信号２値イメージと各プレーンの２値イメージとの双方で情報（黒）となっている部分のみが合成された新たな２値イメージの情報となっていることがわかる。
【０１０２】
図１５（Ａ）にＹ信号２値イメージとＲプレーン２値イメージとが合成されたＹＲ２値イメージ例を，図１５（Ｂ）にＧプレーン２値イメージとＹ信号２値イメージとが合成されたＹＧ２値イメージ例を，図１５（Ｃ）にＢプレーン２値イメージとＹ信号２値イメージとが合成されたＹＢ２値イメージ例を示す。
【０１０３】
次に，黒画素頻度算出部２１０は，合成されたＹＲ２値イメージ，ＹＧ２値イメージ，ＹＢ２値イメージのそれぞれの情報量である黒画素頻度を調べる。
【０１０４】
ドロップアウトしたプレーンをもとにした合成イメージとそうでない合成イメージとでは黒画素頻度が相違しているはずであり，ドロップアウトしたプレーンをもとにする合成イメージは他の合成イメージと比較して黒画素頻度が低いはずである。
【０１０５】
図１５（Ａ）のＹＲ２値イメージでは，赤系のドロップアウトカラーがすべて消えるために，文字およびガイドなどの情報（黒画素）のみが残る。そして，黒画素頻度算出部２１０が算出したＹＲ２値イメージの黒画素頻度ＹＲＰは１１．８２３％となる。また，図１５（Ｂ）のＹＧプレーン２値イメージでは，ドロップアウトカラー部分が残りドロップアウトカラーの文字枠までが情報として出力される。よって，黒画素頻度ＹＧＰは高くなり，１３．６５３％となる。また，図１５（Ｃ）のＹＢ２値イメージでは，ＹＧ２値イメージと同様に黒画素頻度ＹＢＰは高くなり，１３．７８７％となる。
【０１０６】
さらに，帳票２の全体画素数３，１１５，５８０画素とすると，図５の各２値イメージの場合に，ＹＲ２値イメージとＹＧ２値イメージとの黒画素頻度の差は１．８３０％（約５７，０１５画素）となり，ＹＲ２値イメージとＹＢ２値イメージとの黒画素頻度の差は１．９６４％（約６１，１８９画素）となる。一方，ドロップアウトしていないＹＧ２値イメージとＹＢ２値イメージとの黒画素頻度の差は，０．１３４％（約４，１７４画素）となり，約０．１％（約３０００画素）の差しか認められない。
【０１０７】
以上のように，ドロップアウトしているプレーンとドロップアウトしていないプレーンとでは合成された２値イメージでの黒画素頻度が相違してくる。また，ドロップアウトしないプレーンで合成された２値イメージ同士の黒画素頻度がほぼ同一である。
【０１０８】
したがって，他の２つのプレーンから合成された２値イメージの黒画素頻度と値が異なる２値イメージのもととなるプレーンがドロップアウトしたプレーンであると判定できるため，黒画素頻度算出部２１０は，最も黒画素頻度の低い２値イメージのもととなっているＲプレーンをドロップアウトプレーンと判定する。
【０１０９】
２値化画像合成処理部２１１では，黒画素頻度算出部２１０からの判定結果を受け取って，第１の実施の形態の２値化画像合成処理部１１１と同様に，Ｒプレーン２値イメージとＹ信号２値イメージとをＡＮＤ演算により合成する。
【０１１０】
また，カスレ補正処理部２１２は，第１の実施の形態のカスレ補正処理部１１２と同様に，前記の補正処理のいずれか１つまたはいくつかを組み合わせた補正処理を行なう。
【０１１１】
図１６に，第２の実施の形態におけるドロップアウトプレーンの選択処理の処理フローを示す。図１３に示す処理フローと同様に，選択処理の前にＲ／Ｇ／Ｂの各プレーンが分離生成されているとする。
【０１１２】
まず，輝度信号画像２値化処理部１１０は，輝度信号生成部１０９が生成したＹ信号イメージを局所２値化する（ステップＳ１１）。そしてステップＳ１２からステップＳ１５の処理を，Ｒ／Ｇ／Ｂの各プレーンについてそれぞれ行う。
【０１１３】
まず，各プレーンのプレーンしきい値算出部２０１，２０２，２０３は，プレーンごとにヒストグラムを取得して数値化し（ステップＳ１２）数値化したヒストグラムを引数にして自動しきい値（Ｒｓ，Ｇｓ，Ｂｓ）を算出し（ステップＳ１３），各プレーンのプレーン２値化処理部２０４，２０５，２０６は，その自動しきい値によりプレーンそれぞれを２値化する（ステップＳ１４）。そして，ＡＮＤ演算部２０７，２０８，２０９は，Ｙ信号２値イメージとそれぞれのプレーン２値イメージとをＡＮＤ演算して合成２値イメージを生成する（ステップＳ１５）。
【０１１４】
そして，黒画素頻度算出部２１０は，合成した各２値イメージの黒画素頻度ＹＲＰ，ＹＧＰ，ＹＢＰを算出する（ステップＳ１６）。
【０１１５】
ＹＲ２値プレーンの黒画素頻度ＹＲＰ
＝（ＹＲ２値の黒画素数÷全体の画素数）×１００
ＹＧ２値プレーンの黒画素頻度ＹＧＰ
＝（ＹＧ２値の黒画素数÷全体の画素数）×１００
ＹＢ２値プレーンの黒画素頻度ＹＢＰ
＝（ＹＢ２値の黒画素数÷全体の画素数）×１００
さらに，以下の処理で，ドロップアウトプレーンを選択する。すなわち，ＹＲＰがＹＧＰより小さく（ステップＳ１７），かつＹＲＰがＹＧＰより小さい場合には（ステップＳ１８），ドロップアウトプレーンとしてＲプレーンを選択する（ステップＳ１９）。
【０１１６】
また，ＹＲＰがＹＧＰより小さくなく（ステップＳ１７），かつＹＧＰがＹＢＰより小さければ（ステップＳ２０），ドロップアウトプレーンとしてＧプレーンを選択する（ステップＳ２１）。
【０１１７】
また，ＹＲＰがＹＧＰより小さく（ステップＳ１７），さらにＹＲＰがＹＧＰより小さくないか（ステップＳ１８），もしくは，ＹＧＰがＹＢＰより小さくなければ（ステップＳ２０），ドロップアウトプレーンとしてＢプレーンを選択する（ステップＳ２２）。
【０１１８】
〔第３の実施の形態〕
第３の実施の形態では，ドロップアウト処理装置３００は，Ｙ信号イメージとＲＧＢ各プレーンイメージにＸＯＲ演算を行いドロップアウトカラーの残存部分を抽出することによりドロップアウトプレーンを識別する。そして，識別したドロップアウトプレーンを用いて手書き文字等の画像イメージ３を出力する。
【０１１９】
図１７に，第３の実施の形態における本発明にかかる装置の構成例を示す。
【０１２０】
ドロップアウト処理装置３００は，イメージ取得部１０１と，影補正処理部１０２と，ＲＧＢプレーン分割部１０３と，画像記憶部１０４と，輝度信号生成部１０９と，輝度信号２値化処理部１１０と，Ｒ，Ｇ，Ｂプレーンごとのプレーンしきい値算出部２０１，２０２，２０３と，Ｒ，Ｇ，Ｂプレーンごとの２値化処理部２０４，２０５，２０６と，３つのＸＯＲ演算部３０１，３０２，３０３と，黒画素頻度算出部３０４と，２値化画像合成処理部３０５と，カスレ補正処理部３０６とを備える。
【０１２１】
ドロップアウト処理装置２００の各処理部のうち，イメージ取得部１０１と，影補正処理部１０２と，ＲＧＢプレーン分割部１０３と，画像記憶部１０４と，輝度信号生成部１０９と，輝度信号２値化処理部１１０とは，図１のドロップアウト処理装置１００を構成する同一番号が付与された各処理部と同一の処理を行い，Ｒ，Ｇ，Ｂプレーンごとのプレーンしきい値算出部２０１，２０２，２０３と，Ｒ，Ｇ，Ｂプレーンごとの２値化処理部２０４，２０５，２０６とは，図１３のドロップアウト処理装置２００を構成する同一番号が付与された各処理部と同一の処理を行う。
【０１２２】
ＸＯＲ演算部３０１は，Ｒプレーン２値イメージと輝度信号２値化処理部１１０で生成されたＹ信号２値イメージとをＸＯＲ演算により合成処理する手段である。同様に，ＸＯＲ演算部３０２は，Ｇプレーン２値イメージとＹ信号２値イメージとをＸＯＲ演算により合成処理する手段であり，ＸＯＲ演算部３０３はＢプレーン２値イメージとＹ信号２値イメージとをＸＯＲ演算により合成処理する手段である。
【０１２３】
黒画素頻度算出部３０４は，ＸＯＲ演算部３０１，３０２，３０３がそれぞれ合成処理した合成２値イメージのドロップアウトカラーの残数頻度を算出し，その残数頻度をもとにドロップアウトプレーンを選択する手段である。
【０１２４】
２値化画像合成処理部３０５は，選択されたドロップアウトプレーンとＹ信号２値イメージとをＡＮＤ演算により合成処理する手段である。
【０１２５】
カスレ補正処理部３０６は，２値化画像合成処理部３０５で合成された２値化合成イメージに対しカスレ補正を行う手段である。
【０１２６】
本形態における処理を説明する。
【０１２７】
イメージ取得部１０１からＲＧＢプレーン分割部１０３までの処理，ならびに輝度信号生成部１０９および輝度信号２値化処理部１１０の処理は，第１の実施の形態における処理と同様である。
【０１２８】
また，Ｒ／Ｇ／Ｂプレーンごとのプレーンしきい値算出部２０１，２０２，２０３は，局所的２値化法を使用して各プレーンごとのダイナミックなしきい値を求める。そして，プレーン２値化処理部２０４，２０５，２０６は，Ｒ／Ｇ／Ｂのそれぞれのプレーンに対して求めたしきい値により２値化処理する。
【０１２９】
次に，ＸＯＲ演算部３０１は，Ｒプレーン２値イメージとＹ信号２値イメージとをＸＯＲ演算による合成処理を行ない，新たなＹＲＸ２値イメージを生成する。同様に，ＸＯＲ演算部３０２はＧプレーン２値イメージとＹ信号２値イメージとを合成処理してＹＧＸ２値イメージを生成し，ＸＯＲ演算部３０３はＢプレーン２値イメージとＹ信号２値イメージとを合成処理してＹＢＸ２値イメージを生成する。図１８に，各ＸＯＲ演算部３０１，３０２，３０３により合成処理された２値イメージの例を示す。図１８（Ａ）はＹＲＸ２値イメージ例を，図１８（Ｂ）はＹＧＸ２値イメージ例を，１８（Ｃ）はＹＢＸ２値イメージ例を示す。
【０１３０】
その後，黒画素頻度算出部３０４は，ＸＯＲ演算部３０１，３０２，３０３で処理された各２値イメージのドロップアウトカラー（黒画素）の残数頻度を調べる。
【０１３１】
通常，Ｙ信号２値イメージはすべての情報が２値化されて出ているので，ドロップアウトしているプレーンの２値イメージとＸＯＲ演算することにより，ドロップアウトカラーの部分が情報（黒画素）として出てくるため，ドロップアウトカラーの部分が浮き上がるイメージが生成されることになる。
【０１３２】
したがって，黒画素頻度算出部３０４は，ＹＲＸ２値イメージ，ＹＧＸ２値イメージ，ＹＢＸ２値イメージの３つのイメージのうち，最も情報数が多い，すなわちドロップアウトカラーの部分の残数頻度が最も多い２値イメージのもととなるプレーンイメージをドロップアウトプレーンとして選択する。
【０１３３】
図１８（Ａ）のＹＲＸ２値イメージの残数頻度ＹＲＸＰは５．９４３％（カスレ補正処理後で６．０１４％）となり，図１８（Ｂ）に示すＹＧＸ２値イメージの残数頻度は４．４２４％（カスレ補正処理後で３．５７７％）となり，図１８（Ｃ）のＹＢＸ２値イメージの残数頻度ＹＢＸＰは４．４０４％（カスレ補正処理後で４．２１９％）となった。
【０１３４】
また，残数頻度の相違率をみると，ＹＲＸ２値イメージとＹＧＸ２値イメージでは１．５１９％であり，ＹＲＸ２値イメージとＹＢＸ２値イメージでは１．５３９％であった。一方ＹＧＸ２値イメージとＹＢＸ２値イメージとの残数頻度の相違率は，０．０２０％であった。
【０１３５】
ドロップアウトしているプレーンをもとに合成処理した２値プレーンは，ＸＯＲビット演算結果，ドロップアウトカラー分の情報量（黒画素数）が多くなる。したがって，黒画素頻度算出部３０４は，相違率のしきい値と他のプレーンとの相違率の広がりを設定することによりドロップアウトプレーンを識別することが可能である。本形態では，黒画素頻度算出部３０４は，ドロップアウトプレーンとしてＲプレーンを識別する。
【０１３６】
図１９に，第３の実施の形態におけるドロップアウトプレーンの選択処理の処理フローを示す。図１３に示す処理フローと同様に，選択処理の前にＲ／Ｇ／Ｂの各プレーンが分離生成されているとする。
【０１３７】
また，ステップＳ３１からステップＳ３４までの処理は，図１６に示す処理フローのステップＳ１１からステップＳ１４までの処理と同様であるので，説明を省略する。
【０１３８】
ＸＯＲ演算部３０１，３０２，３０３は，Ｙ信号２値イメージとそれぞれのプレーン２値イメージとをＸＯＲ演算して合成２値イメージを生成する（ステップＳ３５）。
【０１３９】
そして，黒画素頻度算出部３０４は，合成した各２値イメージのドロップアウトカラー部分の残数頻度ＹＲＸＰ，ＹＧＸＰ，ＹＢＸＰを算出する（ステップＳ３６）。
【０１４０】
ＹＲ２値プレーンの残数頻度ＹＲＸＰ
＝（ＹＲ２値の黒画素数÷全体の画素数）×１００
ＹＧ２値プレーンの残数頻度ＹＧＸＰ
＝（ＹＧ２値の黒画素数÷全体の画素数）×１００
ＹＢ２値プレーンの残数頻度ＹＢＸＰ
＝（ＹＢ２値の黒画素数÷全体の画素数）×１００
さらに，以下の処理で，ドロップアウトプレーンを選択する。すなわち，ＹＲＸＰがＹＧＸＰより大きく（ステップＳ３７），かつＹＲＸＰがＹＧＸＰより大きい場合には（ステップＳ３８），ドロップアウトプレーンとしてＲプレーンを選択する（ステップＳ３９）。
【０１４１】
また，ＹＲＸＰがＹＧＸＰより大きくなく（ステップＳ３７），かつＹＧＸＰがＹＢＸＰより大きければ（ステップＳ４０），ドロップアウトプレーンとしてＧプレーンを選択する（ステップＳ４１）。
【０１４２】
また，ＹＲＸＰがＹＧＸＰより大きく（ステップＳ３７），さらにＹＲＸＰがＹＧＸＰより大きくないか（ステップＳ３８），もしくは，ＹＧＸＰがＹＢＸＰより大きくなければ（ステップＳ４０），ドロップアウトプレーンとしてＢプレーンを選択する（ステップＳ４２）。
【０１４３】
〔第４の実施の形態〕
前記の第１〜第３の実施の形態のドロップアウト処理装置において，読み取った帳票のドロップアウトカラーが識別できない場合が生じる。例えば，ＲＧＢの各プレーンのヒストグラムの背景部分とドロップアウトカラーとの谷間が存在していない場合や，ドロップアウトカラーの印刷頻度が低い場合には，ドロップアウトカラーが判定できない場合がある。また，複数のドロップアウトカラーが存在する帳票についても，ドロップアウトカラーが判定できない。
【０１４４】
第４の実施の形態では，ドロップアウト処理装置４００は，前記の実施の形態で説明したドロップアウトカラーを識別する種々の方法を組み合わせて，ドロップアウトカラーの色系を識別できない帳票や複数のドロップアウトカラーが混在している帳票の場合に，１つの帳票２のイメージに対して複数のドロップアウトカラーによるドロップアウト処理を行って所望される画像イメージ３もしくは画像イメージ４を出力する。
【０１４５】
図２０に，本形態での処理の対象とする帳票２のイメージの一部を示す。本形態で処理する帳票２は，青系ドロップアウトカラーで印鑑枠が印刷され，赤系ドロップアウトカラーで記入文字枠が印刷され，黒色の手書き文字がかかれた帳票であり，複数のドロップアウトカラーが混在する帳票である。
【０１４６】
図２１に，第４の実施の形態における本発明にかかる装置の構成例を示す。
【０１４７】
ドロップアウト処理装置４００は，イメージ取得部１０１と，影補正処理部１０２と，ＲＧＢプレーン分割部１０３と，画像記憶部１０４と，ヒストグラム演算部１０５と，判定しきい値算出部１０６と，ドロップアウトプレーン選択部１０７と，ドロップアウトプレーン２値化部１０８と，輝度信号生成部１０９と，輝度信号２値化処理部１１０と，２値化画像合成処理部１１１と，カスレ補正処理部１１２と，Ｒ，Ｇ，Ｂプレーンごとのプレーンしきい値算出部２０１，２０２，２０３と，Ｒ，Ｇ，Ｂプレーンごとの２値化処理部２０４，２０５，２０６と，ＹＲ合成演算部４０１と，ＹＧ合成演算部４０２と，ＹＢ合成演算部４０３と，カスレ補正処理部４０４とを備える。
【０１４８】
ドロップアウト処理装置４００の各処理部のうち，イメージ取得部１０１と，影補正処理部１０２と，ＲＧＢプレーン分割部１０３と，画像記憶部１０４と，ヒストグラム演算部１０５と，判定しきい値算出部１０６と，ドロップアウトプレーン選択部１０７と，ドロップアウトプレーン２値化部１０８と，輝度信号生成部１０９と，輝度信号２値化処理部１１０と，２値化画像合成処理部１１１と，カスレ補正処理部１１２とは，図１のドロップアウト処理装置１００を構成する同一番号が付与された各処理部とほぼ同一の処理を行い，Ｒ，Ｇ，Ｂプレーンごとのプレーンしきい値算出部２０１，２０２，２０３と，Ｒ，Ｇ，Ｂプレーンごとの２値化処理部２０４，２０５，２０６とは，図１４のドロップアウト処理装置２００を構成する同一番号が付与された各処理部とほぼ同一の処理を行う。
【０１４９】
ＹＲ合成演算部４０１は，Ｙ信号２値イメージもしくは他の合成演算部４０２，４０３で合成された２値イメージと，Ｒプレーン２値イメージとをＡＮＤ演算により合成処理し，新たな２値合成イメージを生成する手段である。
【０１５０】
ＹＧ合成演算部４０２は，Ｙ信号２値イメージもしくは他の合成演算部４０１，４０３で合成された２値イメージと，Ｇプレーン２値イメージとをＡＮＤ演算により合成処理し，新たな２値合成イメージを生成する手段である。
【０１５１】
ＹＢ合成演算部４０３は，Ｙ信号２値イメージもしくは他の合成演算部４０１，４０２で合成された２値イメージと，Ｂプレーン２値イメージとをＡＮＤ演算により合成処理し，新たな２値合成イメージを生成する手段である。
【０１５２】
これらの合成演算部４０１，４０２，４０３のうち，２つの合成演算部を組み合わせて処理を行うようにしてもよく，または，3 つの合成演算部すべてで処理を行うようにしてもよい。処理順序は，どの合成演算部から処理を行ってもよく，同一の結果となる。
【０１５３】
ドロップアウトプレーン選択部１０７は，判定しきい値算出部１０６が算出したしきい値をもとにドロップアウトプレーンが判定できたときは，その判定結果をドロップアウトプレーン２値化処理部１０８へ通知する。一方，ドロップアウトプレーンが判定できなかったときは，Ｒ／Ｇ／Ｂの各プレーンのプレーンしきい値算出部２０１，２０２，２０２に処理を渡す。この場合に，全てのプレーンしきい値算出部を起動するようにしてもよく，また，予め定めた所定のプレーンしきい値算出部のみを起動するようにしてもよく，また，所定の順序でプレーンしきい値算出部を１つずつ起動するようにしてもよい。
【０１５４】
輝度信号２値化処理部１１０は，前記説明のとおり，輝度信号生成部１０９で生成したＹ信号イメージに対して局所的２値化法を用いて，Ｙ信号イメージがドロップアウトカラーを含めてすべての情報を出すように最適な２値化を行う。図２２（Ａ）にＹ信号２値イメージの例を示す。
【０１５５】
本形態において，図２１に示す帳票２のイメージの赤系および青系のドロップアウトカラーを処理する例を説明する。
【０１５６】
Ｒプレーンしきい値算出部２０１は，ドロップアウトプレーン選択部１０７の通知を受けて，自動判別しきい値法を用いてＲプレーンのしきい値を算出する。そして，Ｒプレーン２値化処理部２０４は，算出されたしきい値を用いて，単純２値化処理もしくは局所的２値化法による最適２値化処理のいずれかの処理を行い，図２２（Ｂ）に示すＲプレーン２値イメージを生成する。
【０１５７】
そして，ＹＲ合成演算部４０１は，図２２（Ａ）のＹ信号２値イメージと図２２（Ｂ）のＲプレーン２値イメージとをＡＮＤ演算で合成処理し，新たにＹＲ２値イメージを生成する。
【０１５８】
図２２（Ｃ）にＹＲ２値イメージの例を示す。Ｙ信号２値イメージの赤系ドロップアウトカラーの部分は２値化されて情報として出ているが，Ｒプレーン２値イメージでは赤系ドロップアウトカラーの部分が情報として出ていないので，ＡＮＤ演算処理により赤色の特性のドロップアウトカラーの部分は情報として出ずに消去される。
【０１５９】
そして，Ｂプレーンしきい値算出部２０３は，ドロップアウトプレーン選択部１０７の通知を受けて，自動判別しきい値法を用いてＢプレーンのしきい値を算出する。そして，Ｂプレーン２値化処理部２０６は，算出されたしきい値を用いて，単純２値化処理もしくは局所的２値化法による最適２値化処理のいずれかの処理を行い，図２２（Ｄ）に示すＢプレーン２値イメージを生成する。
【０１６０】
その後，ＹＢ合成演算部４０３は，ＹＲ合成演算部４０１で生成したＹＲ２値イメージとＢプレーン２値イメージとをＡＮＤ演算で合成処理し，新たにＹＲＢ２値イメージを生成する。
【０１６１】
図２２（Ｅ）にＹＲＢ２値イメージの例を示す。ＹＲＢ２値イメージではすでに赤系ドロップアウトカラーの部分は消去されているが，青系ドロップアウトカラーの部分は２値化されて情報として出ている。一方，Ｂプレーン２値イメージでは青系ドロップアウトカラーの部分は情報として出ていないので，ＡＮＤ演算処理により青色の特性のドロップアウトカラーも情報として出ずに消去される。
【０１６２】
よって，この時点で，赤色の特性と青色の特性の異なる２色のドロップアウトカラーの部分が消去されたことになる。
【０１６３】
なお，ドロップアウトカラー色の種別が判明しない場合には，さらにＹＧ合成演算部４０２により，ＹＲＢ２値イメージにＧプレーン２値イメージをマスク処理（合成処理）することで，緑色の特性（Ｇ系）のドロップアウトカラーの部分も消去することができる。
【０１６４】
以上，本発明をその実施の形態により説明したが，本発明はその主旨の範囲において種々の変形が可能である。
【０１６５】
例えば，本発明の実施の形態では，本発明にかかるドロップアウト処理装置１００，２００，３００，４００は帳票２からカラーイメージを読み取るイメージ取得部１０１および影補正処理部１０２を備える構成について説明したが，ドロップアウト処理装置１００，２００，３００，４００は，帳票２の代わりに帳票のカラーイメージデータを種々のメディア等もしくは伝送路を介して入力するようにしてもよい。この場合に，イメージ取得部１０１および影補正処理部１０２は不要である。
【０１６６】
また，本発明にかかる装置を構成する種々イメージを２値化する各処理部は，２値化法として大局的２値化法と局所的２値化法とを組み合わせて２値化処理するようにしてもよい。
【０１６７】
また，カスレ補正処理部１１２，２１２，３０６，４０４は，出力する画像イメージの品質を保証するものであり，不要な場合もある。
【０１６８】
また，本発明にかかるドロップアウト処理装置１００，２００，３００，４００は，帳票２の読み取り装置内に組み込まれて実施されることも可能である。
【０１６９】
本発明の形態および実施例の特徴を列記すると以下のとおりである。
【０１７０】
（付記１）  帳票のドロップアウト処理で用いるドロップアウトカラーを識別する処理をコンピュータに実行させるプログラムであって，
帳票イメージデータからＲＧＢ系の各系のプレーンイメージを分離生成してＲプレーン，Ｇプレーン，Ｂプレーンを取得するプレーン取得処理と，
前記Ｒプレーン，Ｇプレーン，Ｂプレーンの各プレーンごとに濃度特性を求め，前記濃度特性から前記各プレーンごとの判別しきい値を自動的に算出するしきい値算出処理と，
前記判定しきい値を用いて前記各プレーンからドロップアウトプレーンを選択するドロップアウトプレーン選択処理とを，
コンピュータに実行させる
ことを特徴とするドロップアウトカラー識別処理プログラム。
【０１７１】
（付記２）  帳票のドロップアウト処理で用いるドロップアウトカラーを識別する処理をコンピュータに実行させるプログラムであって，
帳票イメージデータからＲＧＢ系の各系のプレーンイメージを分離生成してＲプレーン，Ｇプレーン，Ｂプレーンを取得するプレーン取得処理と，
前記帳票イメージから輝度信号イメージを生成し，さらに２値化して輝度信号２値化イメージを生成する輝度信号２値化処理と，
前記プレーン取得処理で取得した前記各それぞれのダイナミックな判定しきい値を求め，前記判定しきい値をもとに，前記各プレーンをそれぞれ２値化して各プレーン２値化イメージを生成するプレーン２値化処理と，
前記輝度信号２値化イメージと，前記各プレーン２値化イメージのそれぞれとについて，画素ごとに合成処理して各プレーンの２値合成イメージを生成する合成処理と，
前記各プレーン２値合成イメージそれぞれの画素頻度を算出し，前記画素頻度を用いて前記各プレーン２値合成イメージのもととなる前記プレーンからドロップアウトプレーンを選択するドロップアウトプレーン選択処理とを，
コンピュータに実行させる
ことを特徴とするドロップアウトカラー識別処理プログラム。
【０１７２】
（付記３）付記２記載のドロップアウトカラー識別処理プログラムにおいて，
前記合成処理では，画素ごとにＡＮＤ演算を行い，前記各プレーン２値合成イメージを生成する処理と，
前記ドロップアウトプレーン識別処理では，前記各プレーン２値合成イメージの黒画素頻度を算出し，前記黒画素頻度が最小であるプレーン合成２値イメージのもととなるプレーンをドロップアウトプレーンとして選択する処理とを，
コンピュータに実行させる
ことを特徴とするドロップアウトカラー識別処理プログラム。
【０１７３】
（付記４）付記２記載のドロップアウトカラー識別処理プログラムにおいて，
前記合成処理では，画素ごとにＸＯＲ演算を行い，前記各プレーン２値合成イメージを生成する処理と，
前記ドロップアウトプレーン識別処理では，前記各プレーン２値合成イメージの黒画素の相違度を算出し，前記相違度が最大であるプレーン２値合成イメージのもととなるプレーンをドロップアウトプレーンとして選択する処理とを，
コンピュータに実行させる
ことを特徴とするドロップアウトカラー識別処理プログラム。
【０１７４】
（付記５）  帳票のドロップアウト処理で用いるドロップアウトカラーを識別する処理方法において，
帳票イメージデータからＲＧＢ系の各系のプレーンイメージを分離生成してＲプレーン，Ｇプレーン，Ｂプレーンを取得するプレーン取得処理過程と，
前記Ｒプレーン，Ｇプレーン，Ｂプレーンの各プレーンごとに濃度特性を求め，前記濃度特性から前記各プレーンごとの判別しきい値を自動的に算出するしきい値算出処理過程と，
前記判定しきい値を用いて前記各プレーンからドロップアウトプレーンを選択するドロップアウトプレーン選択処理過程とを備える
ことを特徴とするドロップアウトカラー識別処理方法。
【０１７５】
（付記６）  帳票のドロップアウト処理で用いるドロップアウトカラーを識別するドロップアウトカラー識別処理方法において，
帳票イメージデータからＲＧＢ系の各系のプレーンイメージを分離生成してＲプレーン，Ｇプレーン，Ｂプレーンを取得するプレーン取得処理過程と，
前記帳票イメージから輝度信号イメージを生成し，さらに２値化して輝度信号２値化イメージを生成する輝度信号２値化処理過程と，
前記プレーン取得処理で取得した前記各それぞれのダイナミックな判定しきい値を求め，前記判定しきい値をもとに，前記各プレーンをそれぞれ２値化して各プレーン２値化イメージを生成するプレーン２値化処理過程と，
前記輝度信号２値化イメージと，前記各プレーン２値化イメージのそれぞれとについて，画素ごとに合成処理して各プレーンの２値合成イメージを生成する合成処理過程と，
前記各プレーン２値合成イメージそれぞれの画素頻度を算出し，前記画素頻度を用いて前記各プレーン２値合成イメージのもととなる前記プレーンからドロップアウトプレーンを選択するドロップアウトプレーン選択処理過程とを備える
ことを特徴とするドロップアウトカラー識別処理方法。
【０１７６】
（付記７）  帳票から識別したドロップアウトカラーによりドロップアウト処理を行うドロップアウト処理装置であって，
帳票イメージデータからＲＧＢ系の各系のプレーンイメージを分離生成してＲプレーン，Ｇプレーン，Ｂプレーンを取得するプレーン取得処理手段と，
前記Ｒプレーン，Ｇプレーン，Ｂプレーンの各プレーンごとに濃度特性を求め，前記濃度特性から前記各プレーンごとの判別しきい値を自動的に算出するしきい値算出処理手段と，
前記判定しきい値を用いて前記各プレーンからドロップアウトプレーンを選択するドロップアウトプレーン選択処理手段とを備える
ことを特徴とするドロップアウト処理装置。
【０１７７】
（付記８）  帳票から識別したドロップアウトカラーによりドロップアウト処理を行うドロップアウト処理装置であって，
帳票イメージデータからＲＧＢ系の各系のプレーンイメージを分離生成してＲプレーン，Ｇプレーン，Ｂプレーンを取得するプレーン取得処理手段と，
前記帳票イメージから輝度信号イメージを生成し，さらに２値化して輝度信号２値化イメージを生成する輝度信号２値化処理手段と，
前記プレーン取得処理で取得した前記各それぞれのダイナミックな判定しきい値を求め，前記判定しきい値をもとに，前記各プレーンをそれぞれ２値化して各プレーン２値化イメージを生成するプレーン２値化処理手段と，
前記輝度信号２値化イメージと，前記各プレーン２値化イメージのそれぞれとについて，画素ごとに合成処理して各プレーンの２値合成イメージを生成する合成処理手段と，
前記各プレーン２値合成イメージそれぞれの画素頻度を算出し，前記画素頻度を用いて前記各プレーン２値合成イメージのもととなる前記プレーンからドロップアウトプレーンを選択するドロップアウトプレーン選択処理手段とを備える
ことを特徴とするドロップアウト処理装置。
【０１７８】
（付記９）  帳票から識別したドロップアウトカラーによりドロップアウト処理を行うドロップアウト処理装置であって，
帳票イメージデータからＲＧＢ系の各系のプレーンイメージを分離生成してＲプレーン，Ｇプレーン，Ｂプレーンを取得するプレーン取得処理手段と，
前記帳票イメージから輝度信号イメージを生成し，さらに２値化して輝度信号２値化イメージを生成する輝度信号２値化処理手段と，
前記プレーン取得処理で取得した前記各それぞれのダイナミックな判定しきい値を求め，前記判定しきい値をもとに，前記各プレーンをそれぞれ２値化して各プレーン２値化イメージを生成するプレーン２値化処理手段と，
前記輝度信号２値化イメージと，前記各プレーン２値化イメージの一のプレーン２値イメージとを，画素ごとに合成処理して第一の２値合成イメージを生成する第一の合成処理手段と，
前記第一の２値合成イメージと，前記各プレーン２値化イメージのうち前記第一の合成処理手段で処理されない一のプレーン２値イメージとを，画素ごとに合成処理して第二の２値合成イメージを生成する第二の合成処理手段とを備える
ことを特徴とするドロップアウト処理装置。
【図面の簡単な説明】
【０１７９】
【図１】第１の実施の形態における本発明にかかる装置の構成例を示す図である。
【図２】第１の実施の形態における帳票２のイメージの一部を示す図である。
【図３】Ｒプレーン，Ｇプレーン，Ｂプレーンの各ヒストグラム例を示す図である。
【図４】ドロップアウトプレーン２値イメージの例を示す図である。
【図５】７×７フィルタの例を示す図である。
【図６】Ｙ信号イメージの２値化処理を説明するための図およびＹ信号２値イメージの例を示す図である。
【図７】ＹＲ２値イメージの例を示す図である。
【図８】カスレ補正処理の有無による結果例を示す図である。
【図９】局所２値化処理に対するカスレ補正処理の説明のための図である。
【図１０】カスレ補正処理の有無による結果例を示す図である。
【図１１】自動判別しきい値法による２値化処理に対するカスレ補正処理の説明のための図である。
【図１２】カスレ補正処理の有無による結果例を示す図である。
【図１３】第１の実施の形態におけるドロップアウトプレーンの選択処理の処理フロー例を示す図である。
【図１４】第２の実施の形態における本発明にかかる装置の構成例を示す図である。
【図１５】ＡＮＤ演算処理により合成された２値イメージの例を示す図である。
【図１６】第２の実施の形態におけるドロップアウトプレーンの選択処理の処理フロー例を示す図である。
【図１７】第３の実施の形態における本発明にかかる装置の構成例を示す図である。
【図１８】ＸＯＲ演算処理により合成された２値イメージの例を示す図である。
【図１９】第３の実施の形態におけるドロップアウトプレーンの選択処理の処理フロー例を示す図である。
【図２０】第４の実施の形態における帳票２のイメージの一部を示す図である。
【図２１】第４の実施の形態における本発明にかかる装置の構成例を示す図である。
【図２２】複数のＡＮＤ演算の合成処理を説明するための図である。
【符号の説明】
【０１８０】
２  帳票
３，４  画像イメージ
１００，２００，３００，４００  ドロップアウト処理装置
１０１  イメージ取得部
１０２  影補正処理部
１０３  ＲＧＢプレーン分割部
１０４  画像記憶部
１０５  ヒストグラム演算部
１０６  判定しきい値算出部
１０７  ドロップアウトプレーン選択部
１０８  ドロップアウトプレーン２値化処理部
１０９  輝度信号生成部
１１０  輝度信号２値化処理部
１１１  ２値化画像合成処理部
１１２，２１２，３０６，４０４  カスレ補正処理部
２０１  Ｒプレーンしきい値算出部
２０２  Ｇプレーンしきい値算出部
２０３  Ｂプレーンしきい値算出部
２０４  Ｒプレーン２値化処理部
２０５  Ｇプレーン２値化処理部
２０６  Ｂプレーン２値化処理部
２０７，２０８，２０９  ＡＮＤ演算部
２１０，３０４，  黒画素頻度算出部
２１１，３０５  ２値化画像合成処理部
３０１，３０２，３０３  ＸＯＲ演算部
４０１  ＹＲ合成演算部
４０２  ＹＧ合成演算部
４０３  ＹＢ合成演算部
【図１】
2007115288.tif 000003
【図２】
2007115288.tif 000004
【図３】
2007115288.tif 000005
【図４】
2007115288.tif 000006
【図５】
2007115288.tif 000007
【図６】
2007115288.tif 000008
【図７】
2007115288.tif 000009
【図８】
2007115288.tif 000010
【図９】
2007115288.tif 000011
【図１０】
2007115288.tif 000012
【図１１】
2007115288.tif 000013
【図１２】
2007115288.tif 000014
【図１３】
2007115288.tif 000015
【図１４】
2007115288.tif 000016
【図１５】
2007115288.tif 000017
【図１６】
2007115288.tif 000018
【図１７】
2007115288.tif 000019
【図１８】
2007115288.tif 000020
【図１９】
2007115288.tif 000021
【図２０】
2007115288.tif 000022
【図２１】
2007115288.tif 000023
【図２２】
2007115288.tif 000024